(57)【要約】【課題】国際電気通信連合による勧告に違反することなく、発着呼の衝突を回避することができるようにする。【解決手段】通信データの送信先の外部装置に対する発呼、及び通信データの送信元の外部装置からの着呼を行う回線制御装置と、コーリングトーン信号を生成し、検出する信号処理部と、前記送信先の外部装置に通信データを送信する送信制御部３１と、前記送信元の外部装置から通信データを受信する受信制御部３２とを有する。送信制御部３１は、前記回線制御装置による発呼が終了してから所定の待機時間が経過するまでの間にコーリングトーン信号が検出された場合に、通信データの送信を保留する。発着呼の衝突を回避して送信元の外部装置から通信データを受信することができる。送信先の外部装置にコーリングトーン信号を確実に送信することができる。【選択図】図１
2019080098.tif 000002
【特許請求の範囲】
【請求項１】
回線を介して外部装置に接続された情報処理装置において、
（ａ）通信データの送信先の外部装置に対する発呼、及び通信データの送信元の外部装置からの着呼を行う回線制御装置と、
（ｂ）前記送信先の外部装置に送信するコーリングトーン信号を生成し、前記送信元の外部装置から送信されたコーリングトーン信号を検出する信号処理部と、
（ｃ）前記送信先の外部装置に通信データを送信する送信制御部と、
（ｄ）前記送信元の外部装置から通信データを受信する受信制御部とを有するとともに、
（ｅ）前記送信制御部は、前記回線制御装置による発呼が終了してから所定の待機時間が経過するまでの間に、前記信号処理部が送信元の外部装置から送信されたコーリングトーン信号を検出した場合に、通信データの送信を保留することを特徴とする情報処理装置。
【請求項２】
前記受信制御部は、前記送信制御部によって通信データの送信が保留された後に、送信元の外部装置から通信データを受信する請求項１に記載の情報処理装置。
【請求項３】
前記送信制御部は、前記受信制御部によって通信データが受信された後に、通信データの送信を再開する請求項２に記載の情報処理装置。
【請求項４】
前記信号処理部は、前記回線制御装置による発呼が終了してから所定の待機時間が経過するまでの間に、送信元の外部装置から送信されたコーリングトーン信号を検出しなかった場合に、コーリングトーン信号を生成し、送信先の外部装置に送信する請求項１〜３のいずれか１項に記載の情報処理装置。
【請求項５】
前記信号処理部は、コーリングトーン信号を生成し、送信先の外部装置に送信した後、送信元の外部装置から送信されたコーリングトーン信号の検出を行わない請求項４に記載の情報処理装置。
【請求項６】
前記信号処理部は、発呼を終了した後、回線に接続されたラインの極性が反転させられたかどうかを判断し、前記ラインの極性が反転させられた場合に、送信元の外部装置から送信されたコーリングトーン信号の検出を行わない請求項１〜５のいずれか１項に記載の情報処理装置。
【請求項７】
前記信号処理部は、前記回線制御装置による発呼が終了してから所定の待機時間が経過するまでの間に、送信元の外部装置から送信されたコーリングトーン信号を検出せず、送信先の外部装置から送信された初期識別信号を検出しない場合に、コーリングトーン信号を生成する請求項４に記載の情報処理装置。
【請求項８】
情報処理装置はファクシミリである請求項１〜７のいずれか１項に記載の情報処理装置。
【請求項９】
情報処理装置は複合機である請求項１〜７のいずれか１項に記載の情報処理装置。
【発明の詳細な説明】
【技術分野】
【０００１】
本発明は、情報処理装置に関するものである。
【背景技術】
【０００２】
従来、ファクシミリ、複合機等の情報処理装置、例えば、ファクシミリにおいては、操作者が操作する自分のファクシミリである自端末から送信先のファクシミリである送信先端末に通信データであるファクシミリデータを送信するために発呼が行われたときに、送信先端末とは別のファクシミリである送信元端末からコーリングトーン信号が送信され、自端末において着呼が行われることがある。
【０００３】
この場合、自端末と前記送信元端末との間で呼が成立するので、送信元端末において動作が送信動作から受信動作に移行すると、発着呼の衝突が発生し、自端末から送信先端末にではなく、自端末から送信元端末にファクシミリデータが送信されてしまう。
【０００４】
そこで、自端末において発呼を行った後、送信元端末から送信されたコーリングトーン信号が検出された場合に、自端末と回線とを切断し、送信元端末にファクシミリデータを送信しないようにしたファクシミリが提供されている（例えば、特許文献１参照。）。
【先行技術文献】
【特許文献】
【０００５】
【特許文献１】特開２０１２−１６９８３５号公報
【発明の概要】
【発明が解決しようとする課題】
【０００６】
しかしながら、前記従来のファクシミリにおいては、自端末において着呼が行われたにもかかわらず、自端末と回線とを切断してしまうので、送信元端末からのファクシミリデータを受信することができなくなってしまう。
【０００７】
また、国際電気通信連合（Ｉｎｔｅｒｎａｔｉｏｎａｌ  Ｔｅｌｅｃｏｍｍｕｎｉｃａｔｉｏｎ  Ｕｎｉｏｎ) によるＩＴＵ−Ｔ  Ｔ．３０の勧告によれば、コーリングトーン信号は発呼局が非音声端末であることを示すものであり、ファクシミリのような自動発呼装置におけるコーリングトーン信号の送信は必須の事項であるので、自端末から送信先端末にコーリングトーン信号が送信されないと、勧告に違反してしまう。
【０００８】
本発明は、前記従来のファクシミリの問題点を解決して、国際電気通信連合による勧告に違反することなく、発着呼の衝突を回避することができる情報処理装置を提供することを目的とする。
【課題を解決するための手段】
【０００９】
そのために、本発明の情報処理装置においては、回線を介して外部装置に接続されるようになっている。
【００１０】
そして、通信データの送信先の外部装置に対する発呼、及び通信データの送信元の外部装置からの着呼を行う回線制御装置と、前記送信先の外部装置に送信するコーリングトーン信号を生成し、前記送信元の外部装置から送信されたコーリングトーン信号を検出する信号処理部と、前記送信先の外部装置に通信データを送信する送信制御部と、前記送信元の外部装置から通信データを受信する受信制御部とを有する。
【００１１】
また、前記送信制御部は、前記回線制御装置による発呼が終了してから所定の待機時間が経過するまでの間に、前記信号処理部が送信元の外部装置から送信されたコーリングトーン信号を検出した場合に、通信データの送信を保留する。
【発明の効果】
【００１２】
本発明によれば、情報処理装置においては、回線を介して外部装置に接続されるようになっている。
【００１３】
そして、通信データの送信先の外部装置に対する発呼、及び通信データの送信元の外部装置からの着呼を行う回線制御装置と、前記送信先の外部装置に送信するコーリングトーン信号を生成し、前記送信元の外部装置から送信されたコーリングトーン信号を検出する信号処理部と、前記送信先の外部装置に通信データを送信する送信制御部と、前記送信元の外部装置から通信データを受信する受信制御部とを有する。
【００１４】
また、前記送信制御部は、前記回線制御装置による発呼が終了してから所定の待機時間が経過するまでの間に、前記信号処理部が送信元の外部装置から送信されたコーリングトーン信号を検出した場合に、通信データの送信を保留する。
【００１５】
この場合、前記送信制御部は、回線制御装置による発呼が終了してから所定の待機時間が経過するまでの間に前記信号処理部がコーリングトーン信号を検出した場合に通信データの送信を保留するので、発着呼の衝突を回避して送信元の外部装置から通信データを受信することができる。
【００１６】
また、回線制御装置による発呼が終了した後に、送信先の外部装置にコーリングトーン信号を確実に送信することができる。したがって、国際電気通信連合による勧告に違反することなく、発着呼の衝突を回避することができる。
【図面の簡単な説明】
【００１７】
【図１】本発明の実施の形態における自端末のブロック図である。
【図２】本発明の実施の形態における情報処理システムのブロック図である。
【図３】本発明の実施の形態における極性の反転を説明するための第１の図である。
【図４】本発明の実施の形態における極性の反転を説明するための第２の図である。
【図５】本発明の実施の形態における極性の反転を説明するための第３の図である。
【図６】本発明の実施の形態における極性の反転を説明するための第４の図である。
【図７】本発明の実施の形態におけるファクシミリの動作を示すフローチャートである。
【発明を実施するための形態】
【００１８】
以下、本発明の実施の形態について図面を参照しながら詳細に説明する。この場合、情報処理装置としてのファクシミリについて説明する。
【００１９】
図１は本発明の実施の形態における自端末のブロック図、図２は本発明の実施の形態における情報処理システムのブロック図、図３は本発明の実施の形態における極性の反転を説明するための第１の図、図４は本発明の実施の形態における極性の反転を説明するための第２の図、図５は本発明の実施の形態における極性の反転を説明するための第３の図、図６は本発明の実施の形態における極性の反転を説明するための第４の図である。
【００２０】
図において、１１は操作者が操作する自分のファクシミリである自端末、１２は送信先のファクシミリである第１の外部装置としての送信先端末、１３は送信先端末１２とは別のファクシミリである第２の外部装置としての送信元端末、Ｎｔは自端末１１、送信先端末１２、送信元端末１３等を接続する回線である。本実施の形態においては、回線Ｎｔとして公衆回線（ＰＳＴＮ：Ｐｕｂｌｉｃ  Ｓｗｉｔｃｈｅｄ  Ｔｅｌｅｐｈｏｎｅ  Ｎｅｔｗｏｒｋ）が使用される。
【００２１】
前記自端末１１、送信先端末１２、送信元端末１３、回線Ｎｔによって情報処理システムＳｙが構成される。
【００２２】
次に、前記自端末１１、送信先端末１２及び送信元端末１３を構成するファクシミリについて説明する。
【００２３】
ファクシミリ２０は、制御部２２、第１の記憶装置としてのＲＡＭ２３、第２の記憶装置としてのＲＯＭ２４、操作・表示部としての操作パネル２５、読取部２６、印刷部２７、信号処理部としてのモデム２８、回線制御装置としてのネットワーク制御装置（ＮＣＵ：Ｎｅｔｗｏｒｋ  Ｃｏｎｔｒｏｌ  Ｕｎｉｔ）２９等を備える。
【００２４】
前記制御部２２は、ファクシミリ２０の全体の制御を行うとともに、ＩＴＵ−Ｔ  Ｔ. ３０の勧告に従い、送信先端末１２、送信元端末１３等の他端末との間で情報処理としてのファクシミリ通信を行う。
【００２５】
また、制御部２２は、送信制御部３１、受信制御部３２、計時処理部Ｐｒ１及び極性判断処理部Ｐｒ２を備える。
【００２６】
前記送信制御部３１は、ＩＴＵ−Ｔ  Ｔ. ３０の勧告に従い、通信データとしてのファクシミリデータを生成し、モデム２８を制御することによって送信先端末１２に送信する。
【００２７】
前記受信制御部３２は、ＩＴＵ−Ｔ  Ｔ. ３０の勧告に従い、モデム２８を制御することによって、送信元端末１３からファクシミリデータを受信し、解析する。
【００２８】
前記ＲＡＭ２３は、制御部２２が各種の処理を行うためのワーキングメモリとして機能するほかに、ファクシミリデータ等のデータを一時的に記録するためのバッファとして機能する。
【００２９】
前記ＲＯＭ２４には、制御部２２が各種の処理を行うためのプログラムが記録されたり、後述される待機時間τ１、τ２等の各種の設定値が記録されたりする。
【００３０】
前記操作パネル２５は、キー、ボタン等の操作要素を備えた操作部、及び液晶画面、ランプ等の表示要素を備えた表示部から成り、タッチパネルで形成される場合、操作部及び表示部として機能する。
【００３１】
前記読取部２６は、ファクシミリ２０の図示されない読取装置にセットされた原稿を読み取り、読取データを生成し、制御部２２に送る。該制御部２２は、受け取った読取データを、ファクシミリデータに変換し、ＲＡＭ２３に記録する。
【００３２】
前記印刷部２７は、送信元端末１３から送信されたファクシミリデータに基づいて、媒体としての図示されない用紙に対して原稿の画像を印刷する。
【００３３】
前記モデム２８は、ＩＴＵ−Ｔ  Ｖシリーズの勧告に従い、ファクシミリデータの変調及び復調を行う。また、モデム２８は、信号生成部として機能し、自端末１１において着呼が行われた場合に、自端末１１がファクシミリ２０であること、すなわち、非音声端末であることを送信先端末１２に通知するためのコーリングトーン信号ＣＮＧ、自端末１１を識別するための初期識別信号等を生成して送信先端末１２に送信する。
【００３４】
さらに、モデム２８は、信号検出部として機能し、自端末１１において着呼が行われた場合に、送信元端末１３から送信され、送信元端末１３がファクシミリであることを自端末１１に通知するためのコーリングトーン信号ＣＮＧ、送信元端末１３を識別するための初期識別信号等を検出し、自端末１１において発呼が行われた場合に、送信先端末１２から送信され、送信先端末１２がファクシミリであることを自端末１１に通知するためのコーリングトーン信号ＣＮＧ、送信先端末１２を識別するための初期識別信号等を検出する。
【００３５】
なお、本実施の形態において、初期識別信号は、被呼局識別信号ＣＥＤ（Ｃａｌｌｅｄ  Ｓｔａｔｉｏｎ  Ｉｄｅｎｔｉｆｉｃａｔｉｏｎ  Ｓｉｇｎａｌ）、ディジタル識別信号ＤＩＳ（Ｄｉｇｉｔａｌ  Ｉｄｅｎｔｉｆｉｃａｔｉｏｎ  Ｓｉｇｎａｌ）等である。
【００３６】
前記ネットワーク制御装置２９は、回線接続・切断部として機能し、ファクシミリ２０と回線Ｎｔとの接続及び切断を行う。また、ネットワーク制御装置２９は、発呼部として機能し、回線Ｎｔに対してダイヤル信号（選択信号）を送信して発呼を行い、着呼部として機能し、送信元端末１３から回線Ｎｔに対して送信された呼出信号を受信して着呼を行う。
【００３７】
さらに、ネットワーク制御装置２９は、極性検出部として機能し、回線Ｎｔの極性を検出する（例えば、日本電信電話株式会社（ＮＴＴ）が公開している技術参考資料「電話サービスのインタフェース」（表３. ４．１：一般的な端末の動作状態における網の動作と回線の状態) 参照。）。
【００３８】
そのために、例えば、図３〜６に示されるように、自端末１１と送信先端末１２とが回線Ｎｔを介して接続されている場合に、自端末１１及び送信先端末１２において、ネットワーク制御装置２９と回線ＮｔとがラインＬ１、Ｌ２によって接続され、回線Ｎｔによって電源電圧がネットワーク制御装置２９に印加される。
【００３９】
そして、ラインＬ１、Ｌ２は、自端末１１、送信先端末１２及び回線Ｎｔの動作に応じて極性が反転させられ、それぞれ正極（＋）及び負極（−）が負極（−）及び正極（＋）に、負極（−）及び正極（＋）が正極（＋）及び負極（−）にされる。
【００４０】
すなわち、図３に示されるように、自端末１１及び送信先端末１２がいずれもオンフック（受話器が掛けられた状態）にされている場合、自端末１１のラインＬ１、Ｌ２の極性が正極（＋）及び負極（−）にされ、送信先端末１２のラインＬ１、Ｌ２の極性が正極（＋）及び負極（−）にされる。
【００４１】
そして、図４に示されるように、自端末１１がオフフック（受話器が外された状態）にされ、自端末１１において発呼が行われ、ダイヤル信号ＳＧ１が回線Ｎｔに送信されると、回線Ｎｔは、呼出信号ＳＧ２を生成し、図５に示されるように、送信先端末１２に送信するとともに、呼出信号ＳＧ２に対応させて呼出音を生成し、自端末１１に送信する。
【００４２】
これにより、送信先端末１２において着呼が行われ、ベル音が発生させられ、送信先端末１２のラインＬ１、Ｌ２の極性が反転させられ、負極（−）及び正極（＋）にされる。
【００４３】
送信先端末１２がオンフックである間、呼出信号ＳＧ２が送信先端末１２に送信され、呼出音が自端末１１に送信され、送信先端末１２のラインＬ１、Ｌ２の極性が負極（−）及び正極（＋）に維持され、自端末１１のラインＬ１、Ｌ２の極性が正極（＋）及び負極（−）に維持される。
【００４４】
また、図６に示されるように、送信先端末１２がオフフックにされると、回線Ｎｔは、呼出信号ＳＧ２を送信先端末１２に送信するのを停止させ、呼出音を自端末１１に送信するのを停止させる。これに伴って、送信先端末１２のラインＬ１、Ｌ２の極性が反転させられ、正極（＋）及び負極（−）にされ、自端末１１のラインＬ１、Ｌ２の極性が反転させられ、負極（−）及び正極（＋）にされる。
【００４５】
そして、自端末１１及び送信先端末１２がオフフックにされ、自端末１１のラインＬ１、Ｌ２の極性が負極（−）及び正極（＋）に維持され、送信先端末１２のラインＬ１、Ｌ２の極性が正極（＋）及び負極（−）に維持された状態で、自端末１１から送信先端末１２にファクシミリデータが送信される。
【００４６】
自端末１１から送信先端末１２へのファクシミリデータの送信が終了すると、自端末１１のラインＬ１、Ｌ２の極性が反転させられ、正極（＋）及び負極（−）にされる。
【００４７】
なお、送信元端末１３から自端末１１にファクシミリデータが送信される場合においても同様に、ラインＬ１、Ｌ２は、送信元端末１３、自端末１１及び回線Ｎｔの動作に応じて極性が反転させられ、それぞれ正極（＋）及び負極（−）が負極（−）及び正極（＋）に、負極（−）及び正極（＋）が正極（＋）及び負極（−）にされる。
【００４８】
すなわち、自端末１１がオンフックにされている場合、自端末１１のラインＬ１、Ｌ２の極性が正極（＋）及び負極（−）にされる。そして、送信元端末１３から回線Ｎｔにダイヤル信号ＳＧ１が送信されると、回線Ｎｔは自端末１１に呼出信号ＳＧ２を送信し、これにより、自端末１１おいて着呼が行われ、ベル音が発生させられ、自端末１１のラインＬ１、Ｌ２の極性が反転させられ、負極（−）及び正極（＋）にされる。続いて、自端末１１がオフフックにされると、回線Ｎｔは、呼出信号ＳＧ２を自端末１１に送信するのを停止させる。これに伴って、自端末１１のラインＬ１、Ｌ２の極性が反転させられ、正極（＋）及び負極（−）にされる。
【００４９】
ところで、前記自端末１１において、送信先端末１２にファクシミリデータを送信するために発呼が行われたときに、送信元端末１３からコーリングトーン信号ＣＮＧが送信され、自端末１１において着呼が行われることがある。
【００５０】
このとき、自端末１１と送信元端末１３との間で呼が成立するので、送信元端末１３において、自端末１１からのコーリングトーン信号ＣＮＧが受信され、動作が送信動作から受信動作に移行すると、発着呼の衝突が発生し、ファクシミリデータが送信先端末１２へ送信されず、送信元端末１３に送信されてしまう。
【００５１】
そこで、本実施の形態においては、自端末１１において発呼が行われたときに、発呼が終了してから所定の待機時間が経過するまでコーリングトーン信号ＣＮＧを送信先端末１２に送信せず、所定の待機時間内に送信元端末１３からコーリングトーン信号ＣＮＧを受信した場合に、ファクシミリデータを送信先端末１２に送信するのを保留するようにしている。
【００５２】
次に、本発明のファクシミリ２０の動作について説明する。この場合、自端末１１の動作について説明する。
【００５３】
図７は本発明の実施の形態におけるファクシミリの動作を示すフローチャートである。
【００５４】
操作者が、自端末１１から送信先端末１２にファクシミリデータを送信するために、操作パネル２５を操作し、操作要素としての図示されないスタートボタンを押下すると、自端末１１の動作が開始され、読取装置にセットされた原稿が読取部２６によって読み取られ、読取データが生成され、制御部２２に送られる。該制御部２２は、読取データを読み込み、ファクシミリデータに変換し、ＲＡＭ２３に記録する。
【００５５】
続いて、ネットワーク制御装置２９は、自端末１１と回線Ｎｔとを接続し、発呼処理を行い、送信先端末１２の電話番号を表すダイヤル信号ＳＧ１を回線Ｎｔに送信し、発呼（ダイヤル発呼）を行う。そして、制御部２２の計時処理部Ｐｒ１は、発呼が終了すると、制御部２２に内蔵されるタイマを作動させ、計時を開始する。
【００５６】
次に、制御部２２の極性判断処理部Ｐｒ２は、ネットワーク制御装置２９によって検出されたラインＬ１、Ｌ２の極性を読み込み、極性が反転させられたかどうかを判断する。
【００５７】
本実施の形態においては、自端末１１においてネットワーク制御装置２９によって発呼が行われた場合、送信先端末１２がオフフックにされ、自端末１１のラインＬ１、Ｌ２の極性が反転させられ、負極（−）及び正極（＋）にされる。
【００５８】
そこで、モデム２８は、ネットワーク制御装置２９によって検出されたラインＬ１、Ｌ２の極性が反転させられたかどうかを判断し、ラインＬ１、Ｌ２の極性が反転させられた場合に、送信先端末１２から送信された初期識別信号を検出したかどうかを判断する。
【００５９】
そして、モデム２８が、送信先端末１２から送信された初期識別信号を検出した場合、送信制御部３１は、送信処理を行い、ＲＡＭ２３からファクシミリデータを読み出し、送信先端末１２に送信する。
【００６０】
続いて、ネットワーク制御装置２９は、回線切断処理を行い、自端末１１と回線Ｎｔとを切断する。これに伴って、自端末１１はオンフックにされ、ラインＬ１、Ｌ２の極性が反転させられ、正極（＋）及び負極（−）にされる。
【００６１】
一方、ラインＬ１、Ｌ２の極性が反転させられなかった場合、モデム２８はコーリングトーン信号ＣＮＧを検出したかどうかを判断する。
【００６２】
モデム２８がコーリングトーン信号ＣＮＧを検出した場合、その後、送信元端末１３からファクシミリデータが送信されることが想定されるので、前記送信制御部３１は、送信保留処理を行い、送信先端末１２へのファクシミリデータの送信を保留し、送信先端末１２に送信するファクシミリデータをＲＡＭ２３に記録し、バックアップする。
【００６３】
そして、前記受信制御部３２は、送信元端末１３からファクシミリデータが送信されるのを待機し、送信元端末１３からファクシミリデータが送信されると、受信処理を行い、ファクシミリデータを受信し、印刷部２７に送る。該印刷部２７は、ファクシミリデータに基づいて、用紙に対して原稿の画像を印刷する。
【００６４】
続いて、前記ネットワーク制御装置２９は、回線切断処理を行い、自端末１１と回線Ｎｔとを切断する。これに伴って、自端末１１はオンフックにされ、ラインＬ１、Ｌ２の極性が反転させられ、正極（＋）及び負極（−）にされる。
【００６５】
そして、送信制御部３１は、送信再開処理を行い、バックアップしていたファクシミリデータをＲＡＭ２３から読み出し、送信先端末１２に送信する。
【００６６】
また、ラインＬ１、Ｌ２の極性が反転させられなかった場合において、コーリングトーン信号ＣＮＧ信号が検出されなかった場合、送信元端末１３からファクシミリデータが送信されることが想定されないので、モデム２８は、送信先端末１２から送信された初期識別信号を検出したかどうかを判断する。
【００６７】
モデム２８が、送信先端末１２から送信された初期識別信号を検出した場合、前述されたように、送信制御部３１は送信処理を行い、続いて、ネットワーク制御装置２９は回線切断処理を行う。
【００６８】
そして、モデム２８は、送信先端末１２から送信された初期識別信号を検出しなかった場合に、発呼が終了してから、第１の待機時間τ１、本実施の形態においては、４〔秒〕が経過するまで、ネットワーク制御装置２９によって検出されたラインＬ１、Ｌ２の極性を読み込み、極性が反転させられたかどうかを継続して判断する。
【００６９】
そのために、前記計時処理部Ｐｒ１は、計時を開始してから４〔秒〕が経過したかどうかを判断し、４〔秒〕が経過した場合に、モデム２８に４〔秒〕が経過したことを通知する。
【００７０】
第１の待機時間τ１は、自端末１１で発呼が終了した場合に、送信元端末１３から送信されたコーリングトーン信号ＣＮＧを検出するのに十分な時間として設定される。操作パネル２５を操作することによって、ファクシミリ２０の環境条件に対応させて第１の待機時間τ１を変更することができる。
【００７１】
そして、送信元端末１３から送信されたコーリングトーン信号ＣＮＧが検出されることなく、また、送信先端末１２から送信された初期識別信号が検出されることなく、４〔秒〕が経過した場合、送信元端末１３からファクシミリデータが送信されることが想定されないので、モデム２８は、コーリングトーン信号ＣＮＧを生成し、送信先端末１２に送信する。
【００７２】
続いて、前記計時処理部Ｐｒ１は、計時を開始してから第２の待機時間τ２（τ２＞τ１）、本実施の形態においては、５９〔秒〕が経過したかどうかを判断し、５９〔秒〕が経過する前に、モデム２８は、初期識別信号を検出したかどうかを判断する。モデム２８が初期識別信号を検出した場合、前記送信制御部３１は送信処理を行い、ネットワーク制御装置２９は回線切断処理を行う。
【００７３】
一方、初期識別信号が検出されることなく５９〔秒〕が経過した場合、計時処理部Ｐｒ１は計時を終了し、ネットワーク制御装置２９は、回線切断処理を行い、自端末１１と回線Ｎｔとを切断する。これに伴って、自端末１１はオンフックにされ、ラインＬ１、Ｌ２の極性が反転させられ、正極（＋）及び負極（−）にされる。
【００７４】
前記第２の待機時間τ２は、自端末１１で発呼が行われた場合に、送信先端末１２から送信された初期識別信号を検出するのに十分な時間として設定される。
【００７５】
このように、本実施の形態において、送信制御部３１は、ネットワーク制御装置２９による発呼が終了してから第１の待機時間τ１が経過するまでの間にモデム２８がコーリングトーン信号ＣＮＧを検出した場合に、ファクシミリデータの送信を保留するので、発着呼の衝突を回避して送信元端末１３からファクシミリデータを受信することができる。
【００７６】
また、ネットワーク制御装置２９による発呼が終了した後に、送信先端末１２にコーリングトーン信号ＣＮＧを確実に送信することができる。したがって、国際電気通信連合による勧告に違反することなく、発着呼の衝突を回避することができる。
【００７７】
そして、本実施の形態において、前記モデム２８は、コーリングトーン信号ＣＮＧを生成し、送信先端末１２に送信した後、送信元端末１３から送信されたコーリングトーン信号ＣＮＧの検出を行わない。さらに、前記ネットワーク制御装置２９による発呼を終了した後、回線Ｎｔに接続されたラインＬ１、Ｌ２の極性が反転させられたかどうかを判断し、ラインＬ１、Ｌ２の極性が反転させられた場合に、前記モデム２８は、送信元端末１３から送信されたコーリングトーン信号ＣＮＧの検出を行わない。
【００７８】
したがって、自端末１１において動作が送信動作から受信動作に移行することがないので、発着呼の衝突を一層回避することができる。
【００７９】
次に、フローチャートについて説明する。
ステップＳ１  ネットワーク制御装置２９は発呼処理を行う。
ステップＳ２  極性判断処理部Ｐｒ２は極性が反転させられたかどうかを判断する。極性が反転させられた場合はステップＳ４に、極性が反転させられなかった場合はステップＳ３に進む。
ステップＳ３  モデム２８はコーリングトーン信号ＣＮＧを検出したかどうかを判断する。コーリングトーン信号ＣＮＧを検出した場合はステップＳ１１に、コーリングトーン信号ＣＮＧを検出しなかった場合はステップＳ４に進む。
ステップＳ４  モデム２８は初期識別信号を検出したかどうかを判断する。初期識別信号を検出した場合はステップＳ５に、初期識別信号を検出しなかった場合はステップＳ７に進む。
ステップＳ５  送信制御部３１は送信処理を行う。
ステップＳ６  ネットワーク制御装置２９は回線切断処理を行い、処理を終了する。
ステップＳ７  計時処理部Ｐｒ１は計時を開始してから４〔秒〕が経過したかどうかを判断する。計時を開始してから４〔秒〕が経過した場合はステップＳ８に進み、４〔秒〕が経過しなかった場合はステップＳ２に戻る。
ステップＳ８  モデム２８はコーリングトーン信号ＣＮＧを送信先端末１２に送信する。
ステップＳ９  計時処理部Ｐｒ１は計時を開始してから５９〔秒〕が経過したかどうかを判断する。計時を開始してから５９〔秒〕が経過した場合はステップＳ１０に進み、５９〔秒〕が経過しなかった場合はステップＳ４に戻る。
ステップＳ１０  ネットワーク制御装置２９は回線切断処理を行い、処理を終了する。
ステップＳ１１  送信制御部３１は送信保留処理を行う。
ステップＳ１２  受信制御部３２は受信処理を行う。
ステップＳ１３  ネットワーク制御装置２９は回線切断処理を行う。
ステップＳ１４  送信制御部３１は、送信再開処理を行い、ステップＳ１に戻る。
【００８０】
本実施の形態においては、ファクシミリ２０について説明しているが、本発明を複合機に適用することができる。
【００８１】
なお、本発明は前記実施の形態に限定されるものではなく、本発明の趣旨に基づいて種々変形させることが可能であり、それらを本発明の範囲から排除するものではない。
【符号の説明】
【００８２】
１１    自端末
１２    送信先端末
１３    送信元端末
２８    モデム
２９    ネットワーク制御装置
３１    送信制御部
３２    受信制御部
ＣＮＧ    コーリングトーン信号
Ｎｔ    回線
τ１    第１の待機時間
【図１】
2019080098.tif 000003
【図２】
2019080098.tif 000004
【図３】
2019080098.tif 000005
【図４】
2019080098.tif 000006
【図５】
2019080098.tif 000007
【図６】
2019080098.tif 000008
【図７】
2019080098.tif 000009